(57)【要約】【課題】滑り防止部材が意図せず外れることを防止する。【解決手段】滑り防止部材２０を装着部材１に取り付ける滑り防止部材取付構造において、滑り防止部材２０は、可撓性を有し、上部２１、下部２２、及び上部２１と下部２２を繋ぐ連結部２３を有し、上部２１の下面２１ｂ、下部２２の上面２２ａ、及び連結部２３の側面２３ａにより一対の第１溝部が画定されている。装着部材１は、一端から他端に延びて、周囲が閉曲線からなる厚み方向に貫通した取付孔７を有し、取付孔７の孔壁には一対の第１溝部２４と係合する取付孔７の中心側へ突出し、かつ少なくとも前記取付孔の前記一端には連続しない一対の突条部８が設けられている。【選択図】図２
2015221163.tif 000002
【特許請求の範囲】
【請求項１】
可撓性を有し、上部、下部、及び前記上部と前記下部を繋ぐ連結部を有し、前記上部の下面、前記下部の上面、及び前記連結部の側面により一対の第１溝部が画定されている滑り防止部材と、
一端から他端に延びて、周囲が閉曲線からなる厚み方向に貫通した取付孔を有し、前記取付孔の孔壁には前記一対の第１溝部と係合する前記取付孔の中心側へ突出し、かつ少なくとも前記取付孔の前記一端には連続しない一対の突条部が設けられた被取付部材と
を備える、滑り防止部材取付構造。
【請求項２】
前記滑り防止部材は、前記一対の第１溝部を連続させる第２溝部をさらに有し、前記第２溝部は、前記上部の下面、前記下部の上面、及び前記連結部の側面により画定され、
前記被取付部材は、前記取付孔の前記一端又は前記他端の前記孔壁から突出し、前記第２溝部と係合する係止部をさらに有する、請求項１に記載の滑り防止部材取付構造。
【請求項３】
前記被取付部材に設けられた一対の前記突条部の端部は、平面視ハの字状に切り欠いている、請求項１又は請求項２に記載の滑り防止部材取付構造。
【請求項４】
前記滑り防止部材に設けられた前記一対の第１溝部は平面視ハの字状である、請求項１から請求項３のいずれか１項に記載の滑り防止部材取付構造。
【請求項５】
請求項１から請求項４のいずれか１項に記載の滑り防止部材取付構造を備え、
前記被取付部材は容器に取り付けられ、外周側から中央側に向けて延びる前記取付孔が設けられた装着部材であり、
前記滑り防止部材は前記装着部材の前記取付孔に滑り止めとして取り付けられる滑止部材である、洗米器。
【請求項６】
前記装着部材に設けられた前記取付孔は、排水を行うための水切部を挟んで両側に少なくとも１つずつ配置されている、請求項５に記載の洗米器。
【請求項７】
前記滑り防止部材の前記下部は、前記被取付部材の表面から米粒の厚み程度突出している、請求項５又は請求項６に記載の洗米器。
【発明の詳細な説明】
【技術分野】
【０００１】
本発明は、滑り防止部材取付構造及び洗米器に関する。
【背景技術】
【０００２】
洗米器などのように作業時に様々な方向に力が働く器具に対して、作業性を向上させるため、製品表面に滑り防止部材を取り付けた構造がある。このような滑り防止部材は一般にゴム製であるため、一般に樹脂製である製品表面を構成する部材とは別部材で製造され、後の製品組み立て時に製品表面に取り付けられる。滑り防止部材は別部材であるため、取り付け後、意図せずに外れる可能性がある。
【０００３】
このような滑り防止部材の取付構造は、例えば、特許文献１，２に開示されている。
【０００４】
特許文献１には、米粒ガードにゴムラバーを取り付けた構造が開示されている。
【０００５】
特許文献２には、炊飯器の底部にゴム足を取り付けた構造が開示されている。
【０００６】
特許文献１，２に開示されたものを含め、従来の滑り防止部材の取付構造は、取付部材が意図せず外れることの防止を十分に考慮していない。
【先行技術文献】
【特許文献】
【０００７】
【特許文献１】特開平１１−２２５８９２号公報
【特許文献２】特開２００１−１９０４０２号公報
【発明の概要】
【発明が解決しようとする課題】
【０００８】
本発明は、滑り防止部材が意図せず外れることの防止を課題とする。
【課題を解決するための手段】
【０００９】
本発明の第１の態様は、可撓性を有し、上部、下部、及び前記上部と前記下部を繋ぐ連結部を有し、前記上部の下面、前記下部の上面、及び前記連結部の側面により一対の第１溝部が画定されている滑り防止部材と、一端から他端に延びる周囲が閉曲線からなる厚み方向に貫通した取付孔を有し、前記取付孔の孔壁には前記一対の第１溝部と係合する前記取付孔の中心側へ突出し、かつ少なくとも前記取付孔の前記一端には連続しない一対の突条部が設けられた被取付部材とを備える、滑り防止部材取付構造を提供する。
【００１０】
この構造によれば、滑り防止部材が意図せず外れることを防止できる。具体的には、滑り防止部材を被取付部材に取り付ける場合、突条部が連続していないことにより取付孔の大きさが広がっている一端側から滑り防止部材を挿入し、他端側へ押圧し、取り付ける。滑り防止部材を被取付部材から取り外す場合、まず最初に滑り防止部材の一端側の付近を上から押圧して部分的に取付孔から取り外す。次に、取り外した部分の滑り防止部材を被取付部材の他端側から一端側へ向かって引っ張り、滑り防止部材全体を取付孔から取り外す。このように、取り付け時の１動作と比較し、取り外し時は力の負荷方向の異なる２動作が必要である。従って、滑り防止部材が意図せず外れることを防止できる。また滑り防止部材は可撓性を有するため、取り付け作業性も失われない。
【００１１】
前記滑り防止部材は、前記一対の第１溝部を連続させる第２溝部をさらに有し、前記第２溝部は、前記上部の下面、前記下部の上面、及び前記連結部の側面により画定され、前記被取付部材は、前記取付孔の前記一端又は前記他端の前記孔壁から突出し、前記第２溝部と係合する係止部をさらに有することが好ましい。
【００１２】
この構造によれば、滑り防止部材の第２溝部に被取付部材の係止部を係止させるため、滑り防止部材を一旦下方向へ押圧して被取付部材から取り外すことが困難になり、滑り防止部材が一層外れ難くなる。
【００１３】
前記被取付部材に設けられた一対の前記突条部の端部は、平面視ハの字状に切り欠いていることが好ましく、前記滑り防止部材に設けられた前記一対の第１溝部も平面視ハの字状であることが好ましい。
【００１４】
この構造によれば、滑り防止部材を取付孔の大きさが広がっている側から挿入し、第１溝部を突条部と係合させる際、被取付部材の進入口が拡大すると共に、進入させる滑り防止部材の先端も縮小するため、挿入の際に生じる滑り防止部材と突条部との摩擦力が軽減し、滑り防止部材を容易に挿入できる。
【００１５】
本発明の第２の態様は、前記滑り防止部材取付構造を備え、前記被取付部材は容器に取り付けられ、外周側から中央側に向けて延びる前記取付孔が設けられた装着部材であり、前記滑り防止部材は前記装着部材の前記取付孔に滑り止めとして取り付けられる滑止部材である、洗米器を提供する。
【００１６】
この洗米器によれば、滑り防止部材を外れ難く取り付けることで、洗米作業時に作用する力により滑り防止部材が意図せず外れることを防止し、作業性を向上できる。
【００１７】
前記装着部材に設けられた前記取付孔は、排水を行うための水切部を挟んで両側に少なくとも１つずつ配置されていることが好ましい。
【００１８】
この洗米器によれば、使用者が滑り防止部材を指で容易に押さえることができる位置に滑り防止部材が取り付けられるため、使用者が滑り防止部材を水切部の両側で押さえた状態で排水できる。従って、使用者は両手で確実に水切部にかかる飯米や水などの重量を支持できるため、装着部材が誤って外れ、飯米が水と共に内鍋から排出されることを防止でき、作業性を向上できる。
【００１９】
前記滑り防止部材の前記下部は、前記被取付部材の表面から米粒の厚み程度突出していることが好ましい。
【００２０】
この洗米機によれば、滑り防止部材は可撓性を有するため、米粒の厚み程度であれば、洗米器を米の入った容器に載置して滑り防止部材表面を押圧することで、被取付部材の表面と滑り防止部材の表面を平坦に揃えることができ、洗米器と容器との滑り防止部材による隙間がなくなるため、米が隙間から出て行くことがなくなり、作業性を向上できる。
【発明の効果】
【００２１】
本発明によれば、滑り防止部材を取り外すには、力の負荷方向の異なる２動作が必要であるため、滑り防止部材が意図せず外れることを確実に防止できる。
【図面の簡単な説明】
【００２２】
【図１】第１実施形態に係る洗米器の平面図。
【図２】図１の洗米器の装着部材と滑り防止部材を上方から見た斜視図（ハンドルは図示せず）。
【図３Ａ】図１の装着部材の平面図。
【図３Ｂ】図３Ａの装着部材の部分拡大斜視図。
【図３Ｃ】図３Ｂと異なる実施形態の装着部材の部分拡大斜視図。
【図４】図１の滑り防止部材の斜視図。
【図５Ａ】図１の滑り防止部材の正面図。
【図５Ｂ】図５Ａの滑り防止部材の中央での正面断面図。
【図５Ｃ】図５Ｂと同断面での滑り防止部材と装着部材の断面図。
【図６Ａ】図１の滑り防止部材の側面図。
【図６Ｂ】図６Ａの滑り防止部材の中央での側面断面図。
【図６Ｃ】図６Ｂと同断面での滑り防止部材と装着部材の断面図。
【図７Ａ】図１の滑り防止部材の平面図。
【図７Ｂ】図７Ａの滑り防止部材の中央での平面断面図。
【図７Ｃ】図７Ｂと同断面での滑り防止部材と装着部材の断面図。
【図８Ａ】第２実施形態に係る洗米器に使用される滑り防止部材の平面図。
【図８Ｂ】図８Ａの滑り防止部材の中央での平面断面図。
【図８Ｃ】図８Ｂと同断面での滑り防止部材と装着部材の断面図。
【発明を実施するための形態】
【００２３】
以下、本発明の実施形態を、添付図面を参照して説明する。
【００２４】
（第１実施形態）
図１は、本発明の第１実施形態に係る洗米器３０を示す。この洗米器３０は、既存の炊飯器（調理器）の内鍋３１（調理容器）に装着し、食材である飯米を洗米（洗浄）する際に使用される。
【００２５】
洗米器３０は、内鍋３１に装着される装着部材１と、装着部材１に配設された回転部材３２と、回転部材３２に配設された撹拌部材３４とを備える。
【００２６】
引き続き、図１及び図２を参照すると、装着部材１には、円の外周部１ａの一部を円弧状に切り欠いた切欠部２が設けられている。また、装着部材１の外周部１ａには、非使用時に吊り下げて保管可能とするための吊下孔３が設けられている。
【００２７】
図２を合わせて参照すると、装着部材１の中心に、回転部材３２を装着するための取付部４が設けられている。回転部材３２は、装着部材１の取付部４内に回転可能に配設されている。回転部材３２の図において上端側はハンドル３３が設けられ、図において下端側には撹拌部材３４が連結されている。中心軸ＬＣまわりにハンドル３３を回転させると撹拌部材３４が回転して飯米と水を撹拌できる。なお、回転部材３２の駆動機構としては、ハンドル３３の代わりに電動モータを用いてもよい。
【００２８】
装着部材１の切欠部２側には一対の段部５が設けられている。段部５は、内鍋３１の図示しない取手を配置（収容）するために、上向きに膨出している。この段部５の上面には、滑り止めのための円弧状の凸条部６が突設されている。
【００２９】
図３Ａに示すように、装着部材１の切欠部２と径方向に対向する位置には、取付孔７，７の間に内鍋３１内の水を排水するための水切部１１が設けられている。この水切部１１は、径方向に所定間隔をもって位置し、周方向に延びる複数のスリット１１ａからなる。ここで径方向とは、平面視で中心軸ＬＣ（図２参照）から離れる方向を示し、周方向とは、平面視で中心軸ＬＣを中心とする円周方向を示す。以降、「径方向」と「周方向」の用語に関しては特に記載がない限りこの意図で使用するものとする。段部５には、水切部１１を挟んで周方向両側の位置に、厚み方向に貫通する１個の取付孔７がそれぞれ設けられている。個々の取付孔７には、滑り防止部材２０が取り付けられる。滑り防止部材２０は、使用者が回転部材３２を回転させる際に、内鍋３１及び洗米器３０を保持する目的で手を配置したときの滑り止めの役割を果たす。
【００３０】
図３Ａ及び図３Ｂを参照して、取付孔７の形状を詳細に説明する。
【００３１】
図３Ａには装着部材１の上面図、図３Ｂには図３Ａの取付孔７の付近を拡大した要部拡大斜視図を示している。図３Ａ及び図３Ｂに示すように、取付孔７は、径方向外側から内側へ向かって一端から他端に延び、周囲が閉曲線からなり、厚み方向に貫通している。この取付孔７の孔壁には、取付孔７の中心側へ中心軸ＬＣの周方向に突出した一対の突条部８が設けられており、取付孔７の一端には滑り防止部材２０を挿入するため部分的に取付孔７の大きさを拡大した拡大部９が設けられている。ここで突条部８は、取付孔７の少なくとも一端には連続していない。言い換えると、突条部８は取付孔７の一端から間隔をあけて終端している。また、一対の突条部８の一端側の端部は、滑り防止部材２０を挿入しやすくするため、平面視において他端から一端に向かう方向に広がるようにハの字状に切り欠いている。取付孔７の一端及び他端には、孔壁から中心側へ中心軸ＬＣの径方向に突出した係止部１０ａ，１０ｂが設けられている。ここで突条部８の上面、下面、及び側面、並びに係止部１０ａ，１０ｂの上面、下面、及び側面は、滑り防止部材２０と係合及び係止するため、平坦面で形成されている。
【００３２】
図３Ｃを参照すると、係止部１０ａ，１０ｂについては、他端側の係止部１０ａは設けられず、一端側の係止部１０ｂのみが設けられていてもよい。この際、一対の突条部８は他端まで連続していることが好ましい。
【００３３】
使用状態では、全ての取付孔７に滑り防止部材２０を取り付けるが、図２では説明のため、２つの取付孔７のうち一方のみに滑り防止部材２０を取り付けた状態である。
【００３４】
図４は、滑り防止部材２０を示す斜視図である。滑り防止部材２０は可撓性及び耐熱性を有する軟質材料（例えばシリコーンゴム）からなり、上部２１、下部２２、及び連結部２３を有する。そして上部２１、下部２２、及び連結部２３により、一対の第１溝部２４と一対の第２溝部２５ａ，２５ｂが画定されている。滑り防止部材２０を装着部材１に取り付けた際には、第１溝部２４は装着部材１の径方向に延び、第２溝部２５ａ，２５ｂは周方向に延びる構成である。また、滑り防止部材２０は材質が部材全てにおいて一様である必要はなく、部分的に可撓性を有する構成であってもよい。例えば、上部２１及び連結部２３が可撓性を有し、下部２２は可撓性を有していない材質であってもよい。
【００３５】
滑り防止部材２０の第２溝部２５ａ，２５ｂは、係止部１０ａ，１０ｂとそれぞれ係止する部分であるため、係止部１０ｂのみが設けられている場合、対応して第２溝部２５ｂのみが形成されていればよい。
【００３６】
図５Ａ〜Ｃを参照して、滑り防止部材２０の第１溝部２４の形状を詳細に説明する。
【００３７】
図５Ａは滑り防止部材２０の正面図を示している。図５Ａに示すように、滑り防止部材２０は、長軸方向に延びる一対の第１溝部２４を有する。第１溝部２４は、上部２１の下面２１ｂ、下部２２の上面２２ａ、及び連結部２３の側面２３ａにより画定される。上部２１の下面２１ｂ、下部２２の上面２２ａ、及び連結部２３の側面２３ａは突条部８と係合するために全て平坦面であるが、上部２１の上面２１ａは装着部材１の表面に露出し、使用者が接触するために中央が上向きに膨出している。
【００３８】
図５Ｂは図５Ａの滑り防止部材２０の中央での正面断面図を示している。図５Ｂに示すように、上部２１の幅ＷＵ、下部２２の幅ＷＬ、及び連結部２３の幅ＷＳに関して、第１溝部２４は、ＷＳがＷＬ及びＷＵよりも小さいことで形成されている。
【００３９】
図５Ｃは装着部材１に取り付けた状態での図５Ｂと同様の断面図を示している。図５Ｃに示すように、一対の第１溝部２４は取り付けた状態では一対の突条部８と係合している。
【００４０】
図６Ａ〜Ｃを参照して、滑り防止部材２０の第２溝部２５ａ，２５ｂの形状を詳細に説明する。
【００４１】
図６Ａは滑り防止部材２０の側面図を示している。図６Ａに示すように、滑り防止部材２０は、長軸と直行する方向に延び、第１溝部２４を連続させる第２溝部２５ａ，２５ｂを有する。第２溝部２５ａ，２５ｂは、上部２１の下面２１ｂ、下部２２の上面２２ａ、及び連結部２３の端面２３ｂにより画定されている。
【００４２】
図６Ｂは図６Ａの滑り防止部材２０の中央での側面断面図を示している。図６Ｂに示すように、上部２１の長さＬＵ、下部２２の長さＬＬ、及び連結部２３の長さＬＳに関して、第２溝部２５ａ，２５ｂは、ＬＳがＬＬ及びＬＵよりも小さいことで形成されている。
【００４３】
図６Ｃは装着部材１に取り付けた状態での図６Ｂと同様の断面図を示している。図６Ｃに示すように、第２溝部２５ａ，２５ｂは取り付けた状態では係止部１０ａ，１０ｂと係止している。また、上部２１は側面視において厚みが一様ではなく、装着部材１の形状に合わせるため、装着部材１の径方向外側へ向かって厚みが減少している。
【００４４】
図７Ａ〜Ｃを参照して、滑り防止部材２０の形状を詳細に説明する。
【００４５】
図７Ａは滑り防止部材２０の上面図を示している。図７Ａに示すように、下部２２は平面視略扇形状である。
【００４６】
図７Ｂは図７Ａの滑り防止部材２０の中央での上面断面図を示している。図７Ｂに示すように、第１溝部２４を構成する連結部２３の一対の側面２３ａ，２３ａは、突条部８と係合するため平行に形成されており、扇形の径方向内側の端面２３ｂは平坦面である。これは、滑り防止部材２０を装着部材１に取り付ける際に、扇形の径方向内側の端面２３ｂは、挿入先の終端としての係止部１０ａの側面に当接するためである。
【００４７】
図７Ｃは装着部材１に取り付けた状態での図７Ｂと同様の断面図を示している。図７Ｃに示すように、取り付け時にはＤＩの方向へ、扇形状の径方向内側を先端として挿入し、装着部材１に取り付ける。この扇形状により、使用者は滑り防止部材２０を装着部材１に取り付ける向きを確認し、誤装着を防止できる。
【００４８】
次に図２を参照し、滑り防止部材取付構造に関して、滑り防止部材２０の取り付け及び取り外し方法、並びに作用を説明する。
【００４９】
滑り防止部材２０を装着部材１に取り付ける場合、図６Ｃを参照して下側からＤＵの方向（上側）へ取付孔７の拡大部９に滑り防止部材２０の先端を挿入する。その後、突条部８に第１溝部２４を係合させ、図７Ｃを参照してＤＩの方向（装着部材１の径方向内側）へ滑り防止部材２０を押圧する。そうすると、滑り防止部材２０は第１溝部２４が突条部８と係合した状態で撓みながら摺動した後、取付孔７の他端（径方向内側）において第２溝部２５ａが係止部１０ａに係止する。そして、最後に取付孔７の一端（径方向外側）において第２溝部２５ｂを係止部１０ｂに係止させ、取付孔７に取り付ける。
【００５０】
滑り防止部材２０を装着部材１から取り外す場合、図６Ｃを参照して上側からＤＬの方向（下側）へ、一端にある滑り防止部材２０の一部を押圧し、係止部１０ｂの係止を外す。次に、図７Ｃを参照してＤＯの方向（装着部材１の径方向外側）へ滑り防止部材２０を引っ張ることで係止部１０ａにおける係止を外す。さらに引っ張ることで第１溝部２４が突条部８と係合した状態で撓みながら摺動し、滑り防止部材２０は取付孔７の拡大部９から取り外される。ここで、係止部１０ａ，１０ｂのうち、一端にある係止部１０ｂにおける係止は、使用者が上から押圧して外す必要があるが、他端にある係止部１０ａにおける係止は上からの押圧により外される必要はない。従って本実施形態では、係止部１０ａは係止部１０ｂと比較して平面視での面積が大きく形成されており、係止部１０ａの方が係止部１０ｂよりも係止量が大きくなるよう設計されている。これに伴い、係止部１０ａに係止する第２溝部２５ａも係止部１０ｂに係止する第２溝部２５ｂより大きく（深く）形成されている。
【００５１】
この構造によれば、力の負荷が必要な方向は、取り付け時には径方向内側へ押圧する１動作であるのに対し、取り外し時には、下側への押圧と径方向外側への引っ張りという力の負荷方向の異なる２動作が必要である。従って、滑り防止部材２０が意図せず外れることを防止でき、また滑り防止部材２０は可撓性を有するため、取り付け作業性も失われない。また、滑り防止部材２０の第２溝部２５ａ，２５ｂに装着部材１の係止部１０ａ、１０ｂを係止させるため、滑り防止部材２０を一旦下側へ押圧して装着部材１から取り外すことが困難になり、一層滑り防止部材２０が外れ難くなっている。また、滑り防止部材２０を取り付ける際には、一対の突条部８の一端側（径方向外側）が切り欠いて平面視ハの字状であることで進入口が拡大し、挿入の際に生じる滑り防止部材と突条部との摩擦力が軽減し、滑り防止部材２０を容易に挿入できる。
【００５２】
次に、図１を参照して洗米器３０の使用方法の一例について説明する。
【００５３】
まず、内鍋３１内に希望量の飯米を収容し、洗浄用の水を更に収容した後、内鍋３１の開口部に撹拌部材３４側から洗米器３０を配置する。洗浄水は、内鍋３１に洗米器３０を装着した後に、切欠部２内を通して内鍋３１内に注水してもよい。
【００５４】
ついで、一方の手でハンドル３３を持ち、他方の手を洗米器３０の段部５から内鍋３１の外周壁にかけて当てて、ハンドル３３を中心軸ＬＣまわりに回転させる。なお、一般的には、使用者が右利きの場合、右手でハンドル３３を持ち、左手で洗米器３０及び内鍋３１を位置決めし、反時計回りに回転させることが多い。また、使用者が左利きの場合、左手でハンドル３３を持ち、右手で洗米器３０及び内鍋３１を位置決めし、対時計回りに回転させることが多い。従って、手の配置や回転方向などによって、滑り防止部材２０には様々な方向に力が働くため、滑り防止部材２０は任意の方向に対して外れ難く取り付ける必要があり、主に力の負荷される回転方向に対しては特に外れ難く取り付ける必要がある。
【００５５】
ハンドル３３を回転させると回転部材３２が回転し、この回転部材３２の回転に連動して撹拌部材３４が一体的に同方向に回転する。その結果、撹拌部材３４の回転により、米粒同士の衝突等が起こり、飯米の表面の糠が分離できる。使用者は、このようにして洗米器３０を使用する際、内鍋３１内の飯米と水を撹拌させ、洗米を行う。本発明に係る洗米機３０の滑り防止部材取付構造によれば、洗米の回転作業時に主に負荷の大きい回転方向（周方向）に対して、滑り防止部材２０の取り外し方向（径方向）が異なっているため、意図せず滑り防止部材２０が外れることを防止できる。
【００５６】
以上により、滑り防止部材２０の取り付け作業性が失われることなく、意図せず滑り防止部材２０が装着部材１から外れることを防止でき、使用者の利便性を向上させることができる。
【００５７】
さらに、本発明に係る洗米器３０の滑り防止部材取付構造は、洗米作業時だけでなく排水作業時にも有効な構造である。これに関し、図１を使用して洗米作業後に排水を行う方法について説明する。
【００５８】
図１は、本発明に係る洗米器３０と内鍋３１を示しており、ここで内鍋３１には洗米後の飯米と洗米に使用された水が収容された状態とする。洗米によって水が濁ると、内鍋３１に洗米器３０を装着した状態で、内鍋３１内の水を排水できる。具体的には、一対の段部５及び滑り防止部材２０に手を配置して装着部材１と内鍋３１とを一緒に持ち、水切部１１が下側になるように傾斜させる。この際、飯米は水切部１１に設けられたスリット１１ａよりも大きいため、水切部１１に当接した状態となり、内鍋３１から排出されない。この状態で水は水切部１１のスリット１１ａから排水される。従って、飯米を水と一緒に排出することなく、水だけを効率的に排水できる。
【００５９】
本発明に係る洗米器３０では、図５Ｃ及び図６Ｃに示すように、滑り防止部材２０は、装着部材１に取り付けた状態で装着部材１の表面から米粒の厚み程度突出している。従って、使用者は排水時に滑り防止部材２０を容易に押圧でき、滑り防止部材２０の下部２２の下面２２ｂと内鍋３１のフランジ部３１ａとの摩擦力を増大させることで装着部材１が内鍋３１上で滑動することを防止し、作業性を向上できる。また滑り防止部材２０は可撓性を有するため、米粒の厚み程度であれば、滑り防止部材２０の表面を押圧することで、装着部材１の面と滑り防止部材２０の面を平坦に揃えることができる。従って、使用者は滑り防止部材２０を押圧した状態で装着部材１を共に支持でき、排水時の作業性を向上できる。
【００６０】
水切部１１から排水する際、使用者は滑り防止部材２０を押圧した状態で行うため、使用者が両手で容易に押圧できる位置に滑り防止部材２０は配置されることが好ましい。本実施形態では、取付孔７は装着部材１の外周部１ａに間隔をあけて設けられ、水切部１１を挟んで設けられた２つの取付孔７，７は水切部１１の端から中心軸ＬＣの周方向に間隔をあけて設けられている。ここで外周部１ａは、装着部材１の最外周縁から中心軸ＬＣへ向かって径方向に内側へ少し入った部分までを示す。このようにして、滑り防止部材２０が、水切部１１の両側であって、両手で容易に押圧できる位置に設けられた取付孔７に取り付けられることで、使用者は水切部１１にかかる飯米の重量を両手で確実に支持できる。従って、装着部材１が誤って内鍋３１から外れ、飯米が水とともに内鍋３１から排出されることを防止でき、作業性を向上できる。
【００６１】
（第２実施形態）
図８Ａ〜Ｃは、第２実施形態に係る洗米機３０に使用される滑り防止部材２０を示す。この滑り防止部材２０は、滑り防止部材２０に設けられた一対の第１溝部２４の形状のみが、第１実施形態と相違する。従って、図８Ａ〜Ｃにおいて、図７Ａ〜Ｃに示した構成と同様の部分については同様の符号を付して説明を省略する。
【００６２】
図８Ａ〜Ｃを参照して、滑り防止部材２０の第１溝部２４の形状を詳細に説明する。
【００６３】
図８Ａは、滑り防止部材２０の上面図を示している。図８Ａは図７Ａと外見上、同一である。
【００６４】
図８Ｂは図８Ａの滑り防止部材２０の中央での上面断面図を示している。図８Ｂに示すように、第２実施形態の滑り防止部材２０は、一対の第１溝部２４が下部２２の扇形状の外側から内側へ向かって幅が縮小するように平面視ハの字状に形成されている。従って第１実施形態では、一対の連結部２３の側面２３ａは互いに平行であったが、第２実施形態では一対の連結部２３の側面２３ａは互いに平行ではない点で第１実施形態と異なる。
【００６５】
図８Ｃは装着部材１に取り付けた状態での図８Ｂと同様の断面図を示す。図８Ｃに示すように、第１溝部２４は装着部材１に取り付けた状態で、平面視において径方向外側から内側へ向かって徐々に縮小するテーパ状に形成されている。即ち、第２溝部２５ａ，２５ｂのうち、径方向内側の第２溝部２５ａの方が径方向外側の第２溝部２５ｂより周方向に短小に形成されている。
【００６６】
この構造によれば、滑り防止部材２０を取り付ける際には、図８Ｃを参照してＤＩの方向へ進入させる滑り防止部材２０の連結部２３の先端が縮小するため、滑り防止部材２０を容易に挿入できる。
【００６７】
ここで記載した各実施形態では、滑り防止部材取付構造の適用対象を洗米器３０としたが、この他にも例えば、炊飯器などの家電製品の足ゴム、工具のグリップ部分などにも本構造は適用できる。従って、可撓性を有する滑止部材を被取付部材に取り付ける構造であって、作業性向上のために滑止部材を外れ難くする必要があるものであれば、適用対象の種類は特に限定されない。
【符号の説明】
【００６８】
１  装着部材（被取付部材）
１ａ  外周部
２  切欠部
３  吊下孔
４  取付部
５  段部
６  凸条部
７  取付孔
８  突条部
９  拡大部
１０ａ，１０ｂ  係止部
１１  水切部
１１ａ  スリット
２０  滑り防止部材
２１  上部
２１ａ  上部の上面
２１ｂ  上部の下面
２２  下部
２２ａ  下部の上面
２２ｂ  下部の下面
２３  連結部
２３ａ  連結部の側面
２３ｂ  連結部の端面
２４  第１溝部
２５ａ，２５ｂ  第２溝部
３０  洗米器
３１  内鍋
３１ａ  フランジ部
３２  回転部材
３３  ハンドル
３４  撹拌部材
ＬＣ  中心軸
【図１】
2015221163.tif 000003
【図２】
2015221163.tif 000004
【図３Ａ】
2015221163.tif 000005
【図３Ｂ】
2015221163.tif 000006
【図３Ｃ】
2015221163.tif 000007
【図４】
2015221163.tif 000008
【図５Ａ】
2015221163.tif 000009
【図５Ｂ】
2015221163.tif 000010
【図５Ｃ】
2015221163.tif 000011
【図６Ａ】
2015221163.tif 000012
【図６Ｂ】
2015221163.tif 000013
【図６Ｃ】
2015221163.tif 000014
【図７Ａ】
2015221163.tif 000015
【図７Ｂ】
2015221163.tif 000016
【図７Ｃ】
2015221163.tif 000017
【図８Ａ】
2015221163.tif 000018
【図８Ｂ】
2015221163.tif 000019
【図８Ｃ】
2015221163.tif 000020